Podtech/llm-jp-corpus-v4-ja_patent huggingface dataset:
(57)【要約】【課題】寝たきりの被介助者のオムツ交換や下半身の清浄などの介助をするとき、介助する人は被介助者の足をもちあげながら作業をしなければならなかった。【解決手段】被介助者に仰臥開脚維持具を装着すれば、被介助者の足は仰臥開脚の姿勢が維持される。【選択図】図１
2012120817.tif 000002
【特許請求の範囲】
【請求項１】
幅７０ｃｍ×奥行き６０ｃｍの長方形の軟質の合成樹脂でポリウレタンなどでなる、厚さ０，２ｃｍ〜３ｃｍほどのシートに下端方向に左右一対の直径１５ｃｍの
足を通す穴と、上端方向中央に直径２０ｃｍの頭を出す円形の穴を設けてなる仰臥開脚維持具は、左右一対の足を通す穴に足のひざまでとおしてさらに
上方で屈曲させて頭方向に引き寄せ頭を通す穴に下から上に頭を出して首にひっかけるとその首とひざ裏の３点で引っ張り合って被介助者が脱力状態で
あっても仰臥開脚の姿勢は維持される。
【発明の詳細な説明】
【技術分野】
【０００１】        本発明は、介助する人が、被介助者のオムツ交換や下半身の身体洗浄をするときに、非介助者の足を高く保持するための、仰臥開脚維持具に関する。
【背景技術】
【０００２】        従来、寝たきりの人を介助する人が、浴室まで連れて行き入浴させることは困難があった、そこで寝床の上で身体清浄を済ますことがあった。【０００３】        以下図５により従来の寝床の上でオムツ１３交換や、蒸しタオル１１などでの下半身の清浄を説明すると、介助する人９は
非介助者８の足を高く持ち上げながら作業をしなければならなった。
【発明の概要】
【発明が解決しようとする課題】
【０００４】        以上述べた従来の方法では、介助する人９が作業するには被介助者８の足が邪魔であった。【０００５】        本発明は、このような従来の構成が有していた問題を解決しようとするもので、被介助者８が無理なく仰臥開脚ができるようにした、仰臥開脚維持具１
を提供することを目的としている。【０００６】        被介助者８は、この仰臥開脚維持具１を装着することによって足を上方に維持することができる。
【課題を解決するための手段】
【０００７】        上記第１の解決手段は次の通りである、幅７０ｃｍ×奥行き６０ｃｍ×厚さ３ｃｍほどのウレタンなどの軟性のマット、あるいわ薄手の布地やビニール
などでなる仰臥開脚維持具１は上端方向４の中央に直径２０ｃｍの頭を出す穴２を設け、その中心より３５ｃｍほど下方に左右一対の足を通す穴３は直径
１５ｃｍほどである、この３っつの円形の穴を設けてなる仰臥開脚維持具１である。【０００８】        また第２の課題解決手段による作用は、介助する人９は仰臥開脚維持具１の一対の足通し穴３に被介助者８の足をひざまで通してさらに
足を上方で屈曲させ、次に頭を出す穴２の下から頭を上にだして首にひっかけると、仰臥開脚の姿勢が自然に維持される。
【発明の効果】
【０００９】        上述したように本発明の仰臥開脚維持具１は、足を通す穴３にとおした足の両方のひざ裏と、頭を出す穴２より頭をだして引っ掛けた首の３点が互いに引っ張り
あって仰臥開脚の姿勢は維持される。
【図面の簡単な説明】
【００１０】
【図１】本発明の実施態様を示した仰臥開脚維持具の斜視図
【図２】被介助者の足をひざまで足通し穴に通した斜視図
【図３】ひざまで通した足を上方で屈曲させ頭を出す穴より頭を出した状態を示した斜視図
【図４】本発明の実施態様を示した斜視図
【図５】従来の介助の状態を示した斜視図
【発明を実施するための形態】
【００１１】        以下本発明の実施形態を図１〜図４に基ずいて説明する
【００１２】        図において１は厚さ０．２ｃｍ〜３ｃｍ×幅７０ｃｍ×奥行き６０ｃｍのシートの上端方向に頭を出す直径２０ｃｍの穴と、下端方向に左右一対の直径１５ｃｍの足を出す      穴が設けられている。
【００１３】        図２は左右一対の足を通す穴に被介助者の足をひざまで通す
【００１４】        図３はひざまで通した足を上方で屈曲させ、頭出し穴より頭を下から上に出して首に引っ掛けると仰臥開脚の姿勢が維持される。
【００１５】        図４は介助する人は、被介助者の足が邪魔になることなく下半身の介助作業ができる。
【実施例】
【００１６】        仰臥開脚維持具を装着した被介助者は、脱力状態でも仰臥開脚の姿勢が維持される。
【産業上の利用可能性】
【００１７】        寝たきりの被介助者を抱える家庭の他に、老人介護施設などで利用できる。
【符号の説明】１      仰臥開脚維持具
２      頭を出す穴
３      足通し穴
４      上端方向
５      下端方向
７      ビニールシート
８      被介助者
９      介助する人
１０    布団
１１    蒸しタオル
１２    吸水タオル
１３    オムツ
１４    泡
１５    スポンジ
１６    ゴム手袋
【図１】
2012120817.tif 000003
【図２】
2012120817.tif 000004
【図３】
2012120817.tif 000005
【図４】
2012120817.tif 000006
【図５】
2012120817.tif 000007
(57)【要約】      （修正有）【課題】おむつ交換には、介護者は、常に注意が必要で、時々確かめるなど、手間と気配りで世話に苦労があり、また被介護者も気兼ねや不安、不快感があったことの解決策を提供する。【解決手段】おむつの排尿をセンサー１で感知させ、発信機３よりワイヤレスで受信報知機に送り、チャイムと点滅灯で離れたところの者に知らせ、さらに発信機の押ボタン５でもコールすることができるようにした。【選択図】図１
2012120816.tif 000002
【特許請求の範囲】
【請求項１】
おむつの排尿をセンサーで感知させ、発信機よりワイヤレスで受信報知機に送り、チャイムと点滅灯で離れたところの者に知らせ、さらに発信機の押ボタンでもコールすることができることを特徴とする、介護報知ヘルプユーである。
【発明の詳細な説明】
【技術分野】
【０００１】  本発明は、おむつの排尿、排便をセンサーで感知し、発信機よりワイヤレスで受信報知機のチャイムと点滅灯で知らせる、介護報知ヘルプユーに関するものである。
【背景技術】
【０００２】  従来、おむつ交換は、介護者が適時判断するか、ときどき確かめて交換していた。
【発明の概要】
【発明が解決しようとする課題】
【０００３】  おむつ交換には、介護者は常に気遣いと労力を要していた。被介護者は、気兼ねや不安、不快な状態があった。本発明は、これらの問題点を解決するためになされたものである。
【課題を解決するための手段】
【０００４】  あらかじめ、おむつの中にセンサーを差し入れておき、排尿、排便の際の尿水の塩分で感知し、発信機よりワイヤレスで受信報知機に送信し、チャイムと点滅灯で離れた場所にいる者に知らせるものであり、発信機の押しボタンでコールすることも出来るものである。
【発明の効果】
【０００５】（イ）介護者はおむつ交換を、チャイム音時に対応するので、労力が軽減でき、安心して      世話が出来る。
（ロ）被介護者は自動的に知らされるので気がねなく、安心感がある。
（ハ）紙おむつに依存して、長く放置されず、皮膚の衛生上にもよい
（二）体温による乾燥を防ぎ、室内の悪臭が少なくなる。
（ホ）布おむつが使え、経済的で、おむつ外しに役立つ。
（ヘ）被介護者が事前の尿意や呼びたい時に押ボタンでコールができるので安心である。
【図面の簡単な説明】
【０００６】
【図１】本発明の使用状態を示す図
【図２】本発明の受信報知機の図
【発明を実施するための形態】
【０００７】  以下本発明の形態について説明する。
おむつの中にセンサー（１）を当てておき、尿水の感知を配線ジャック（２）で発信機（３）に接続し、これをワイヤレスで送信、受信報知機（４）で受け、チャイム音と点滅灯で離れたところの介護者に知らせるほか、発信機の押ボタン（５）でもコールすることが出来るものである。
【符号の説明】
【０００８】１、センサー
２、配線ジャック
３、発信機
４、受信報知機
５、コール押ボタン
【図１】
2012120816.tif 000003
【図２】
2012120816.tif 000004
(57)【要約】【課題】  ツボ押しに丸ゴムを通し、ひもをつなげた健康器具を提供する。【解決手段】  ツボ押し（１）に丸ゴム（２）を通し、ひも（３）をつなげたものを特徴とする。【選択図】図１
2012120821.tif 000002
【特許請求の範囲】
【請求項１】
ツボ押し（１）の中に丸ゴム（２）を通し、ひも（３）をつなげた健康器具である。
【発明の詳細な説明】
【技術分野】
【０００１】  この発明は、ツボ押しの中に丸ゴムを通し、ひもをつなげた健康器具に関するものである。
【背景技術】
【０００２】  従来の足裏マッサージのツボ押しは、何もついていなかった。
【発明の開示】
【発明が解決しようとする課題】
【０００３】  これは次のような欠点があった。
従来、足裏マッサージのツボ押しで足の裏をマッサージしてても、よほど気をつけてない限り、繰り返し、マッサージすることが、不可能だった。しかも、どこかすぐ、遠くへ飛んでいくこともあったりするものである。本発明は以上のような欠点をなくすためになされたものである。
【課題を解決するための手段】
【０００４】  ツボ押し（１）の中に、丸ゴム（２）を通し、ひも（３）をつなげたものを設ける。
本発明は、以上の構成からなる健康器具である。
【発明の効果】
【０００５】  ツボ押しに丸ゴムとひもを設けることによって足の裏を繰り返し、マッサージすることが可能になる。また、丸ゴムとひもでツボ押しを固定させることで、ツボ押しがころがって、どこかへ行ってしまうこともない。
【発明を実施するための最良の形態】
【０００６】  以下、本発明を実施するための最良の形態について説明する。
ツボ押し（１）に丸ゴム（２）を通し、ひも（３）をつなげる。
本発明は以上のような構造である。
これを使用するときは、丸ゴムとひものつなぎめあたりを、交差させて、足に付ける。
【図面の簡単な説明】
【０００７】
【図１】  本発明の斜視図である。
【図２】  本発明の断面図である。
【図３】  使用図例
【符号の説明】
【０００８】１  ツボ押し
２  丸ゴム
３  ひも
【図１】
2012120821.tif 000003
【図２】
2012120821.tif 000004
【図３】
2012120821.tif 000005
(57)【要約】【課題】解決すべき課題は、従来のようにマネキンのボディーだけをブロー成形で形成し、腕などは肩関節構造や肘関節構造付きの別物を取付けるという方法ではコスト高を避けることができないという点である。【解決手段】熱可塑性樹脂のブロー成形によって形成されるマネキン人形において、関節部が蛇腹構造で構成することにより前記課題を解決した。しかも、本発明に係るマネキン人形は肩関節部や肘関節部を介して腕や手がブロー成形によって形成されているので、従来品よりも格段に安価に製造できる。【選択図】図１
2012120886.tif 000002
【特許請求の範囲】
【請求項１】
熱可塑性樹脂のブロー成形によって形成されるマネキン人形であって、
関節部が蛇腹構造で構成されていることを特徴とするマネキン人形
【請求項２】
請求項１における関節部の蛇腹構造が、蛇腹の山と谷の間の隣り合う斜面の長さが異なるように形成されており、蛇腹を長さ方向に縮めることで陥入して重なり合う構造になっていることを特徴とする請求項１記載のマネキン人形
【発明の詳細な説明】
【技術分野】
【０００１】
本発明は、熱可塑性樹脂のブロー成形によって形成されるマネキン人形に関する。
【背景技術】
【０００２】
熱可塑性樹脂のブロー成形によって形成されるマネキン人形に関する従来技術としては特許文献１に開示されているようなものがある。
【０００３】
しかし、この方法ではマネキンのボディーだけをブロー成形で形成し、腕などは肩関節構造や肘関節構造付きの別物を取付けるということになり、特許文献１に開示されているような方法ではコスト高を避けることができなかった。
【先行技術文献】
【特許文献】
【０００４】
【特許文献１】特開２００３−１１７９８９号公報
【発明の概要】
【発明が解決しようとする課題】
【０００５】
解決しようとする課題は、従来のマネキン人形のように肩関節構造や肘関節構造付きの腕などの別物を取付けるという方法ではコスト高を避けることができないという点である。本発明は上記の点を解決するためになされた。
【課題を解決するための手段】
【０００６】
上記目的を果たすため本発明は、熱可塑性樹脂のブロー成形によって形成されるマネキン人形であって、
関節部が蛇腹構造で構成されていることを最も主要な特徴とする。
【０００７】
また、関節部の蛇腹構造が、関節部の蛇腹構造が、蛇腹の山と谷の間の隣り合う斜面の長さが異なるように形成されており、蛇腹を長さ方向に縮めることで陥入して重なり合う構造になっていることを第２の主要な特徴とする。
【発明の効果】
【０００８】
本発明によれば、このようにして製造されたマネキン人形は肩関節部や肘関節部等の関節部が蛇腹状に構成されているため伸縮、折り曲げが自在にでき、衣服等の商品展示の際にもマネキン人形のポーズを自在に設定できる。
【０００９】
しかも、該マネキン人形は該肩関節部や該肘関節部を介して腕や手がブロー成形によって形成されているので安価に製造できるという利点がある。
【図面の簡単な説明】
【００１０】
【図１】本発明に係るマネキン人形１の正面図
【図２】図１のＡ部詳細を示す蛇腹状の肘関節部３の部分詳細図
【発明を実施するための形態】
【００１１】
肩関節部や肘関節部の伸縮、折り曲げが自在にでき、衣服等の商品展示の際にもマネキン人形のポーズを自在に設定できるマネキン人形を得るという目的を、
熱可塑性樹脂のブロー成形によって形成されるマネキン人形において、関節部を蛇腹構造で構成することによって、ブロー成形という安価な工法を用いて、経済性を損なわずに実現した。
【実施例１】
【００１２】
本発明の構成を発明の実施の形態に基づいて説明すると次の通りである。
図１は、本発明の１実施例を示すマネキン人形１の正面図である。
１０はマネキン人形本体である。
２０は支柱である。
２，２’は伸縮、折り曲げ用の蛇腹状の肩関節部であり、３，３’も同じく伸縮、折り曲げ用の蛇腹状の肘関節部であり、該肩関節部２，２’や該肘関節部３，３’等の関節部は該マネキン人形本体１０と一体に形成されている。
【００１３】
図２は、図１のＡ部詳細を示す蛇腹状の該肘関節部３の部分詳細図である。
該肘関節部３の蛇腹構造は、蛇腹付きストローのように蛇腹の山と谷の間の隣り合う斜面の長さを変えて形成されており、蛇腹を長さ方向に縮めることで陥入して重なり合う構造になっている。
従って、該関節部は自由に伸び縮みさせたり折り曲げたりすることができることは勿論、蛇腹付きストローのように任意の長さや角度で停止させることもできる。
【００１４】
図２では該肘関節部３しか示されていないが、該肘関節部３’や該肩関節部２，２’も同様である。
また、手首の関節部や首の関節部や他の関節部も同様に蛇腹状に形成されていてもよい。
【００１５】
次に該マネキン人形１の製造方法を説明する。該マネキン人形１用の分割金型（図示せず）内に半溶融状態にあるポリプロピレン等の熱可塑性樹脂のパリソン（図示せず）を垂下させ該分割金型を型締めする。
【００１６】
尚、該パリソンに適用される熱可塑性樹脂としてはポリプロピレンに限らず、ポリエチレンや他のポリオレフィン系樹脂、ポリエチレンテレフタレートやポリブチレンテレフタレート、ポリエチレンナフタレート等のポリエステル系樹脂、ポリアミド系樹脂、ポリアセタール系樹脂、シンジオタクチックポリスチレン、ポリスチレン、ゴム改質ポリスチレン、アクリロニトリル−スチレン共重合体、アクリロニトリル−ブタジエン−スチレン共重合体、変性ポリフェニレンオキサイド、ポリフェニレンサルファイド、ポリカーボネート等、ブロー成形が可能な樹脂であれば何でも良い。
【００１７】
その後該パリソン内に圧縮空気を吹き込んでブローアップし、離型して該マネキン人形１のブロー成形を完了させる。
【００１８】
このようにして製造された該マネキン人形１は該肩関節部２，２’や該肘関節部３，３’が蛇腹状に構成されているため伸縮、折り曲げが自在にでき、衣服等の商品展示の際にも該マネキン人形１のポーズを自在に設定できる。
【００１９】
しかも、該マネキン人形１は該肩関節部２，２’や該肘関節部３，３’を介して腕や手がブロー成形によって形成されているので、肩関節構造や肘関節構造付きの腕などの別物を取付けなければならない従来品よりも格段に安価に製造できる。
【００２０】
尚、該肩関節部２，２’または該肘関節部３，３’等や膝、足首等、他の関節部を擁する腕や足や頭部等は該マネキン人形本体１０と一体に形成されていなくてもよい。
【００２１】
以上実施例に述べたように本発明によれば、
熱可塑性樹脂のブロー成形によって形成されるマネキン人形において、関節部を蛇腹構造で構成したため、
関節部の伸縮、折り曲げが自在にでき、衣服等の商品展示の際にもマネキン人形のポーズを自在に設定でき、該肩関節部や該肘関節部を介して腕や手がブロー成形によって形成されているので、安価に製造できるという効果がある。
【産業上の利用可能性】
【００２２】
本発明は、熱可塑性樹脂のブロー成形によって形成されるマネキン人形に利用可能である。
【符号の説明】
【００２３】
１    マネキン人形
２，２’    肩関節部
３，３’    肘関節部
１０    マネキン人形本体
２０    支柱
【図１】
2012120886.tif 000003
【図２】
2012120886.tif 000004
(57)【要約】【課題】  米のパンが日常的になる昨今、米と味噌のつながりをもう一度取り戻すために、および、タンパク質が動物性に傾きがちな日本の食事を、再度植物性タンパク質が多く摂れるようにするために、大豆の味噌を加えたジャムを提供する。【解決手段】  味噌を良く擦りつぶし、少量の水で溶き、それをガーゼ等粗めの布で漉し、その液を糖類、酸、ペクチン、水の液に加え、加熱後放熱させて味噌味ジャムを特徴とする味噌のジャム。【選択図】図２
2012120518.tif 000002
【特許請求の範囲】
【請求項１】
味噌を良く擦りつぶし、少量の水で溶き、それをガーゼ等粗めの布で漉し、その液を糖類、酸、ペクチン、水の液に加え、加熱後放熱させて味噌味ジャムを特徴とする味噌のジャム。
【発明の詳細な説明】
【技術分野】
【０００１】  本発明は、日々の食事から米飯が減り、パン食が増え、さらに米のパンが日常的になる昨今、米と味噌のつながりをもう一度取り戻そうとするために工夫した味噌のジャムに関するものである。
パン食に大豆タンパク質を採り入れることにより、とかくタンパク質といえば動物性に傾きがちな日本の食事に、再度植物性タンパク質を摂取させようとするため、果実ばかりのジャムではなく大豆の味噌を加えたジャムを考えたのである。
【背景技術】
【０００２】  従来、果実を長期保存するためにジャムを作るという技術があった。
また、扱い易さから、液体をジェル状にするという技術があった。
【発明の概要】
【発明が解決しようとする課題】
【０００３】そのため、次のような問題点があった。
目をつぶって果実のジャムをなめると大概同じような味、すなわち甘さが勝ってしまう味であった。
ジャムは栄養摂取のためというより、趣向品的な物品であった。
本発明は、これらの問題点を解決するためになされたものである。
【課題を解決するための手段】
【０００４】  味噌を良く擦りつぶし、少量の水で溶き、それをガーゼ等粗めの布で漉し、その液を糖類、酸、ペクチン、水の液に加え、加熱後放熱させて味噌味ジャムを特徴とする味噌のジャム。
以上を特徴とする発明である。
【発明の効果】
【０００５】  パンに味噌味のジャムは食感が良く、まして米パンと味噌ジャムにより、形は変わっても日本の食文化が守られると思われる。
【図面の簡単な説明】
【０００６】
【図１】  本発明の斜視図である。
【図２】  本発明の斜視図である。
【発明を実施するための形態】
【０００７】以下、本発明の実施の形態について説明する。
ジャムは、糖類、酸、ペクチン、水を混ぜ、加熱することによって作る。
本発明は、これに味噌を加えたものである。
第一工程  水（６）を入れた鍋（１）に糖類（３）を加え、へら（２）で混ぜて加熱し、溶けたら酸（４）を加えてまた加熱する。
第二工程  別の水（６）にペクチン（５）を加え、ダマができないように、加熱し、ペクチン液をつくる。
第三工程  第一工程の液に第二工程の液を加えて加熱する。
第四工程  味噌（８）のうらごしをして、細かくし、さらに、ガーゼ（７）等粗めの布で漉し、少量の水（６）で溶かす。
第五工程  第三工程の液に第四工程の液を混ぜて加熱する。
さめたら、味噌味のジャムが完成する。
食べ方は、従来の果実ジャムと同じに食することができるのである。
果実ばかりのジャムではなく、パンに塗って食べられる味噌味のジャムである。
味噌（８）のジャムだけでなく、醤油、コーヒー、お茶、野菜などのジャムも作ることができる。
【符号の説明】
【０００８】１  鍋
２  へら
３  糖類
４  酸
５  ペクチン
６  水
７  ガーゼ
８  味噌
【図１】
2012120518.tif 000003
【図２】
2012120518.tif 000004
(57)【要約】      （修正有）【課題】釣り針の体積を縮小したり、装着した餌をもっと自然体に見せたり、釣り針と釣り糸が簡単に繋げたり、釣り針の生産コストを削減したりする。【解決手段】中空トンネルを有するごく細く硬い材質でできたパイプ状の針の資材を適当の長さに切断し、切断された胴体１の一端を斜めに針状３に研磨し、針状の部分Ａと釣り針の糸を繋ぐ部分Ｂを形成させ、釣り糸をＢ部分のトンネル入り口の６から入れて、トンネルの出口２から出して釣竿の釣り糸に繋いで使用する。【選択図】図２
2012120521.tif 000002
【特許請求の範囲】
【請求項１】
胴体の内部に中空トンネルを有するごく細く硬いパイプの一端を削って斜めに針状に研磨した直針式釣り針。その特徴は、針の機能を果たすための、斜めに研磨された針状部分Ａ、及び釣竿の釣り糸に繋ぐための、釣り糸を通す中空トンネルの入り口と出口を有する部分Ｂの二つの部分を備えたもので、釣り針として機能する直針式釣り針である。
【発明の詳細な説明】
【技術分野】
【０００１】本発明は釣り針、特に直針式の釣り針に関するものである。
【背景技術】
【０００２】従来の釣り針は針の先端部分が曲がり、後部の釣り糸を繋ぐ部分が糸止め用の突起部を有するが故、釣り針自身が大きく見える。
【先行技術文献】
【特許文献】
【非特許文献】
【発明の概要】
【発明が解決しようとする課題】
【０００３】従来の釣り針は針の先端部分は曲がり、後部の釣り糸を繋ぐ部分は糸止め用の突起部を有し、釣り針全体がかさ張って見えるので、魚の警戒心を引き起こしやすい構造となっている。いかに釣り針の体積を小さくし、装着した餌がもっと自然体に見えるようにするかは課題となる。
【課題を解決するための手段】
【０００４】請求項目１に記載の発明は、胴体の内部に釣り糸を通すための中空トンネルを有したごく細く硬いパイプ状の材質を使用するもので、その材質の一部を適当な長さに切断し、切断された部分の一端を斜めに針状に研磨し、針状部分Ａと、糸を通す部分Ｂを形成させたものである。Ａの部分を従来の曲がった釣り針の針の部分に相当させ、Ｂの部分を従来の曲がった釣り針の糸を結ぶ部分に相当させて機能させる。釣り糸４の一端を本釣り針の胴体内部の中空トンネルの入り口６を通してトンネルの出口２からだして釣竿と結ぶ。もう一端はこのトンネルを通り抜けないほどのストッパー５を結んでおいて、魚が餌を口に飲み込んだときにストッパー５は稼動し、トンネルの入り口６を塞ぎ、よって釣り糸４が釣り針の胴体１から抜けないようにする。魚が餌を食い込んだとき、釣り糸４が引き張られ、釣り針のＡの部分３は魚に引っ掛けて、抜けないようにする。
【発明の効果】
【０００５】本発明により、釣り針の体積が小さくなり、釣り針の胴体を通した釣り糸自身が結んだストッパーによって釣り糸が釣り針からの脱落が不可能になる。従来の釣り針の曲がった部分と釣り糸を繋ぐ部分がなくなったので、針自体がスマートになり、釣り針に装着した青虫などの餌はよってもっと自然体に見えるようになって、魚の警戒心を弱める。なお、従来のような釣り針を釣り糸につなぐ手間が省けるので、直針釣り針の使用が簡単である。
【図面の簡単な説明】
【０００６】
【図１】釣り糸を繋いだ使用可能の状態を示した図である。
【図２】釣り糸を繋いでいない状態の直針釣り針全体を示した図である。
【図３】餌を装着した直針釣り針の状態を示した図である。
【図４】魚が餌を飲み込み、釣り糸が引き張る状態を示した図である。
【発明を実施するための形態】
【実施例】
【０００７】本釣り針の製造工程において、従来のものと基本的に違う成形の方法をとり、使用する材質は、通常の釣り針製作で使われる金属線でなく、注射器の注射針を造るような、中空トンネルを有する管状の材質のものを使用する。それを適当な長さに切断し、研磨することによって針Ａ部分と糸固定機能のＢ部分を形成させ、釣り針の機能を発揮させる。
【産業上の利用可能性】
【０００８】使用する材質は、通常、釣り針製作で使われる金属線でなく、注射器の注射針を造るような、中空トンネルを有する管状の材質のものを使用し、斜めに切断し研磨することによって針Ａ部分と糸固定機能のＢ部分を形成させるだけで釣り針として使えるので、加工が簡単になり、製造コストの削減が期待できる。
【符号の説明】
【０００９】１  直針釣り針の胴体
２  胴体内部の中空トンネルの出口
３  斜めに研磨された針の先端
４  釣竿に繋ぐ釣り糸
５  釣り糸自身で結んで作ったトンネル進入防止ストッパー
６  胴体内部の中空トンネルの入り口
７  胴体内部の中空トンネル
８  魚の餌
【図１】
2012120521.tif 000003
【図２】
2012120521.tif 000004
【図３】
2012120521.tif 000005
【図４】
2012120521.tif 000006
(57)【要約】【課題】  従来、ツノダシお太鼓を結ぶには着付け教室で習得しなければ結べないことと習得されても時間がかかり、普段着物の着用がなければ忘れてしまう、また、着付けを依頼すると多大なお金が掛ることも一つにあげられる。  本発明は作り組帯のツノダシお太鼓を提供する。【解決手段】  帯地（Ａ）の表面に面ファスナー（１）、面ファスナー（２）、面ファスナー（３）を設け、帯地（Ａ）の表面に引掛（Ｂ）、引掛（Ｃ）を設け、帯地（Ａ）の裏面に面ファスナー（４）、面ファスナー（５）、面ファスナー（６）を設け、帯地（Ａ）の裏面に引掛用布地（Ｄ）を設け、帯地（Ａ）とツノ巻帯（７）、ツノ台（８）、ツノ（９）を組み合わせたことを特徴としたツノダシお太鼓帯。【選択図】図４
2012211424.tif 000002
【特許請求の範囲】
【請求項１】
帯地（Ａ）の表面に面ファスナー（１）、面ファスナー（２）、面ファスナー（３）を設け、帯地（Ａ）の表面に引掛（Ｂ）、引掛（Ｃ）を設け、帯地（Ａ）の裏面に面ファスナー（４）、面ファスナー（５）、面ファスナー（６）を設け、帯地（Ａ）の裏面に引掛用布地（Ｄ）を設け、帯地（Ａ）とツノ巻帯（７）、ツノ台（８）、ツノ（９）を組み合わせたことを特徴としたツノダシお太鼓帯。
【発明の詳細な説明】
【技術分野】
【０００１】  本発明は、装着、脱着を簡単にできるように、帯地に面ファスナーを設け、互いに仮着し、帯地上部に差し込み用の布地両端を縫い込み、ツノ台の下部を差し込み、帯地で作ったツノをツノ台の上に乗せツノ巻帯で止め表面に引掛四隅に穴を設け、縫い込み、胴巻帯下に差し込む引掛けを設けたことを特徴とする御飾ツノダシお太鼓帯に関するものである。
【背景技術】
【０００２】  従来、和服を着るに着用する帯は、一本の長い帯の一部を二つ折りにして胴に巻き付け身体の後ろで結んで余りの部分で御飾りツノダシお太鼓を作っていた。
初心者が御飾りツノダシお太鼓を作るには技術が必要であった。
【先行技術文献】
【０００３】
【特許文献１】  実用新案登録第３１５４４３５号公報
【発明の概要】
【発明が解決しようとする課題】
【０００４】  従来、ツノダシお太鼓を結ぶには着付け教室で習得しなければ結べないと習得されても時間が掛り、普段着物の着用がなければ忘れてしまう。
また、着付けを依頼すると多大なお金が掛るも一つにげられる。
本発明は、以上の問題点を解決するためになされたものである。
【課題を解決するための手段】
【０００５】  帯地（Ａ）の表面に面ファスナー（１）、面ファスナー（２）、面ファスナー（３）を設ける。
帯地（Ａ）の表面に引掛（Ｂ）、引掛（Ｃ）を設ける。
帯地（Ａ）の裏面に面ファスナー（４）、面ファスナー（５）、面ファスナー（６）を設ける。
帯地（Ａ）の裏面に引掛用布地（Ｄ）を設ける。
帯地（Ａ）とツノ巻帯（７）、ツノ台（８）、ツノ（９）を組み合わせる。
以上を特徴とする御飾ツノダシお太鼓帯である。
【発明の効果】
【０００６】  従来、着付けを習得しなければなかったツノダシお太鼓帯が本発明により可能になり、胴巻き帯に引掛け帯上げ帯締めをするだけで完了し、短時間と早く、技術者が結んだのと見分けが付かない程に完成している。
【図面の簡単な説明】
【０００７】
【図１】  本発明のお太鼓帯の表面を示した説明図である。
【図２】  本発明のお太鼓帯の裏面を示した説明図である。
【図３】  本発明のツノ巻帯、ツノ台、ツノを示した説明図である。
【図４】  本発明のお太鼓帯の説明図である。
【図５】  本発明のお太鼓帯斜視図である。
【発明を実施するための形態】
【０００８】  以下、本発明の実施の形態を説明する。
帯地（Ａ）の表面に面ファスナー（１）、面ファスナー（２）、面ファスナー（３）を設ける。
表面帯地の上部、左上に面ファスナーを（１）右上に面ファスナー（２）を向い合せに縫い付ける。
上部から中央下に面ファスナー（３）を縫い付ける。
帯地（Ａ）の表面に引掛（Ｂ）、引掛（Ｃ）を設ける。
下部から上、中央に胴巻帯に引掛ける引掛（Ｂ）を四隅に穴をあけ布地を巻いて縫い付ける、
下部から少し上、中央にプラスチックを布で包みその一端に布ゴムをつなぎ合わせ胴巻帯下に差し込む引掛（Ｃ）を縫い付ける。
帯地（Ａ）の裏面に面ファスナー（４）、面ファスナー（５）、面ファスナー（６）を設ける。
中央下部、左に面フアスナー（４）右に面ファスナー（５）を設け向かい合わせに縫い付ける、
下部から上中央に面フアスナー（６）を縫い付ける。
帯地（Ａ）の裏面に引掛用布地（Ｄ）を設ける。
裏面、帯地上部中央に、引掛用布地（Ｄ）を両端縫い付ける。
帯地（Ａ）とツノ巻帯（７）、ツノ台（８）、ツノ（９）を組み合わせる。
帯地を折り曲げツノ（９）を設け、ツノ巻帯（７）をツノ台（８）の上部先端から下まで差し込みツノ台（８）の上部にツノ（９）を乗せ縫い付け、上部あまりのツノ巻帯（７）をツノ台（８）の底辺両サイドに穴を設け縫い付け固定する。
本発明は、以上のような構造である。
本発明は、装着、脱着を簡単にできるように、帯地に面ファスナーを設ける。
互いに仮着し、帯地上部に差し込み用の布地両端を縫い込み。
ツノ台の下部を差し込み。
帯地で作ったツノをツノ台の上に乗せツノ巻帯で止め表面に引掛四隅に穴を設ける。
縫い込み、胴巻帯下に差し込む引掛けを設ける。
【符号の説明】
【０００８】  １  面ファスナー
２  面ファスナー
３  面ファスナー
４  面ファスナー
５  面ファスナー
６  面ファスナー
７  ツノ巻帯
８  ツノ台
９  ツノ
Ａ  帯地
Ｂ  引掛
Ｃ  引掛
Ｄ  引掛用布地
【図１】
2012211424.tif 000003
【図２】
2012211424.tif 000004
【図３】
2012211424.tif 000005
【図４】
2012211424.tif 000006
【図５】
2012211424.tif 000007
(57)【要約】      （修正有）【課題】さまざまな形状の撥弦楽器に取り付け可能な汎用的な腕あて（アームレスト）を提供する。【解決手段】紐と吸盤により取り付ける撥弦楽器用の腕あてである。腕あて本体の両端に２本以上の紐を取り付け、その先に取り付けた吸盤で楽器に固定する。複雑な曲面をもつリュートや小型のウクレレなどの楽器においても取り付け位置を柔軟に選択することができる。以上により、さまざまな楽器で腕あての効果を享受でき、腕の痛みや楽器の汚れが改善できる。さらに、腕カバーも不要となり、おしゃれによりよい音色で演奏を楽しむことができる。【選択図】図３
2012048078.tif 000002
【特許請求の範囲】
【請求項１】
紐と吸盤により取り付ける撥弦楽器用の腕あて
【発明の詳細な説明】
【技術分野】
【０００１】
本発明は、リュートやギターなどの撥弦楽器に取り付ける腕あて（アームレスト）に関するものである。
【背景技術】
【０００２】
図１に示す通り、ギターやリュートなど抱えて演奏する撥弦楽器では、多くの場合右腕でボディの角を押さえつけて楽器を安定させた状態で演奏する。このため次の３点の問題がある。１：右腕で抑える場所は表面板の角であり、長時間の演奏では腕が痛くなる。２：表面板は腕に抑えられたことにより振動が妨げられ、音色が劣化する。３：腕が当たることで汗などにより楽器が汚れる。
【０００３】
この対策として標準的な形状であるクラシックギター専用の腕あてが存在する。しかし、取り付け方法の問題で、洋ナシ型のボディを持つリュートや小型楽器のウクレレなど、他の楽器には転用できない。
【０００４】
また、楽器の汚れ対策として腕カバーなどが用いられるが、演奏会などでは見た目も悪い。
【発明の概要】
【発明が解決しようとする課題】
【０００５】
さまざまな形状の楽器に簡単に取り付け・取り外しが可能な腕あての提供を課題とする。
【課題を解決するための手段】
【０００６】
本発明では図２に示す丸みを帯びた腕あてを用いる。図３に示す通り、腕あてを楽器に取り付けることにより、腕と楽器の双方を保護する。
【０００７】
腕あて本体の両端に２本以上の紐を取り付け、その先に取り付けた吸盤で楽器に固定する。吸盤の取り付け位置は紐に適度な張力がかかる位置であればよい。図４の用に複雑な曲面をもつリュートなどの楽器においても取り付け位置を柔軟に選択することができる。また、図５の通り、ウクレレのような小型の楽器など、本体と楽器の形状が合致しない状態でも、紐の張力によって適切な位置に固定できる。
【発明の効果】
【０００８】
腕あてそのものの効果として、次の三点を挙げる。１：丸みを帯びた腕あてにより長時間演奏時の腕の痛みを改善。２：表面板を押さえつけないので、澄んだ音色となり、音量も増加する。３：腕が楽器に直接触れないので汚れが防止でき、腕カバーが不要となり、演奏の姿が美しくなる。
【０００９】
上記の腕あての効果をギターはもとより、リュートやウクレレなどの特殊な形状の楽器でも享受できることが本発明の効果である。
【００１０】
さらに、本発明は構造が単純である。安価に製造でき、楽器ケースへの収納も可能となる。
【図面の簡単な説明】
【００１１】
【図１】撥弦楽器の演奏姿勢を示した説明図である。
【図２】発明品の全体図である。
【図３】撥弦楽器に本発明品を取り付けた例である。
【図４】複雑な曲面をもつリュートへの取り付け例である。
【図５】小型楽器に本発明品を取り付けた例である。
【図１】
2012048078.tif 000003
【図２】
2012048078.tif 000004
【図３】
2012048078.tif 000005
【図４】
2012048078.tif 000006
【図５】
2012048078.tif 000007
(57)【要約】【課題】両眼の焦点機能を調整することにより、視野のズレを防止しものを的確に把握できるようになり、これにより、より安全に運転やスポーツができるようになる眼鏡を提供する。【解決手段】フレーム（１）に、とめ具のついた複数の継ぎ手を組み合わせたもの（２）を用いて、レンズ（３）を取り付けることを特徴とする。【選択図】図１
2012048182.tif 000002
【特許請求の範囲】
【請求項１】
フレーム（１）に、とめ具のついた複数の継ぎ手を組み合わせたもの（２）を用いて、レンズ（３）を、取り付けた眼鏡。
【発明の詳細な説明】
【技術分野】
【０００１】この発明は、レンズの位置や、角度を自由に変えることの出来る眼鏡に関するものである。
【背景技術】
【０００２】従来、継ぎ手を用いてフレームからレンズを跳ね上げるものが老眼鏡や、サングラスにあった。  が、しかしそれは単に裸眼との切り替えにのみ用いられていた。
本発明のように両眼の焦点のズレを調整するためにレンズの位置や角度を変えるものはなかった。
【発明の開示】
【発明が解決しようとする課題】
【００３】眼は本来、両眼で焦点をあわせて、ものの高低、遠近を測るものである。しかし病気、老齢その他の理由により両眼に不均等に視力の低下や乱視の進行が進むと焦点が合わなくなり視野にズレが生じ、ものが正確に捉えられなくなる。
これらの障害は普通の生活では問題なくとも、自動車の運転等では致命的な障害となる。本発明はこれらも問題を解決するべく成されたものである。
【課題を解決するための手段】
【０００４】眼鏡のフレーム（１）にとめ具のついた複数の継ぎ手を組み合わせたもの（２）を用いてレンズ（３）を取り付ける。
本発明は、以上のような構成より成る眼鏡である。
【発明の効果】
【０００５】眼鏡を装着して様々な条件下で、主として悪いほうのレンズの継ぎ手の部分を操作すると最良の位置と角度がえられる。
そしてその後、とめ具で固定する。
【発明を実施するための最良の形態】
【０００６】本発明の実施の形態について説明すると、
視野が確保できるようにする為、継ぎ手の部分はフレームの中央、鼻部の上部が最適の設置場所である、がフレームの他の部分にも設置は可能である
【図面の簡単な説明】
【００７】
【図１】本発明の斜視図の一部である。
【符号の説明】（１）フレーム  （２）継ぎ手の部分  （３）レンズ
【図１】
2012048182.tif 000003
(57)【要約】【課題】位置を指定したＷｅｂ上でのメッセージやファイルのやり取りの出来るサービス。【解決手段】現在地を測定できる端末を使用する、もしくは位置をＷｅｂ上より位置を指定して、メッセージやファイルをアップロード出来る。指定された場所へ行く他、Ｗｅｂ上の地図からでもメッセージやファイルを見る事が出来る。書き込む内容やカテゴリだけでなく、位置を指定する機能を備えている事を特徴とする。【選択図】図２
2012048695.tif 000002
【特許請求の範囲】
【請求項１】
インターネット上でのメッセージのやり取りを、衛星を利用した位置測定システムで、位置を指定してメッセージの書き込みができ、指定された位置に書き込まれたメッセージを端末上で見る事の出来るシステム。
書き込み時
衛星を利用した位置測定機能を持つ端末では
端末が衛星により現在地を測定するステップと、
ユーザーがメッセージの書き込みやファイルのアップロードをするステップと、
サーバーが位置とメッセージやアップロードされたデータを記録するステップ、
を備えている事を特徴とするＷｅｂサービスの方法。
位置測定機能の無い端末では、
ユーザーが住所や番地を指定したり
ユーザーがＷｅｂサイト上から地図のポイントを指定するステップと、
ユーザーがメッセージの書き込みやファイルのアップロードをするステップと、
サーバーが位置とメッセージやアップロードされたデータを記録するステップ、
を備えている事を特徴とするＷｅｂサービスの方法。
メッセージの表示時
衛星を利用した位置測定機能を持つ端末では
端末が衛星により現在地を測定するステップと、
サーバーから現在地及びその周辺に記録されたメッセージやアップロードされた
データを読み出すステップと、
ユーザーの端末にメッセージ等を表示するステップ
を備えている事を特徴とするＷｅｂサービスの方法。
位置測定機能の無い端末では、
ユーザーが住所や番地を指定したり
ユーザーがＷｅｂサイト上から地図のポイントを指定するステップと、
サーバーから指定されたポイントとその周辺に記録されたメッセージや
アップロードされたデータを読み出すステップと、
ユーザーの端末にメッセージを等表示するステップ
を備えている事を特徴とするＷｅｂサービスの方法。
【請求項２】
位置指定書き込みに付随する各機能
書き込み時
あらかじめ位置だけを指定しておき、後からメッセージを書き込む機能。
書き込むメッセージに、書き込みの種類を指定する事機能。これにより、受け手側が必要なメッセージが素早く検索可能。
表示時
メッセージを音声で読み上げる機能。これにより、移動中に端末の画面を見なくとも情報を取得する事が可能。
メッセージに対して評価を付ける機能。
【発明の詳細な説明】
【技術分野】
【０００１】  本発明は、インターネット上のコミュニケーションを行う際に、位置を指定してメッセージの書き込みやファイルのアップロードが出来るシステム。
【背景技術】
【０００２】  インターネット上で、企業からユーザー、もしくはユーザー同士のコミュニケーションでメッセージやファイルをアップロード出来るソーシャルネットワークや掲示板等のサービスが行われている。
【発明の開示】
【発明が解決しようとする課題】
【０００３】  しかしながら、上記のサービスで場所を限定したメッセージを書き込むには、コメントの中でその旨を説明するか、カテゴリからいちいち探して書き込むしかない。しかも、カテゴリから選択しても、詳細な場所は結局メッセージ内に記載するしかない。【０００４】  本発明は上記事情に鑑みて成されたものであり、衛星による位置測定システムを使用して場所を詳細に指定して現在地、もしくは指定した地点へ書き込む、または指定した地点に書き込まれたメッセージを取得する事の出来るサービスである。
【課題を解決するための手段】
【０００５】  本発明は、上記課題を解決するため、以下の手段を採用する。
本発明に係る位置指定書き込みサービスは、書き込み時は衛星を利用した位置測定機能を持つ端末では、端末が衛星により現在地を測定するステップと、ユーザーがメッセージの書き込みやファイルのアップロードをするステップと、サーバーが位置とメッセージやアップロードされたデータを記録するステップを備えている事を特徴とする。
位置測定機能の無い端末では、ユーザーが住所や番地を指定したりＷｅｂサイト上から地図のポイントを指定するステップと、ユーザーがメッセージの書き込みやファイルのアップロードをするステップと、サーバーが位置とメッセージやアップロードされたデータを記録するステップを備えている事を特徴とする。
メッセージの表示時は衛星を利用した位置測定機能を持つ端末では、端末が衛星により現在地を測定するステップと、サーバーから現在地及びその周辺に記録されたメッセージやアップロードされたデータを読み出すステップと、ユーザーの端末にメッセージ等を表示するステップを備えている事を特徴とする。
位置測定機能の無い端末では、ユーザーが住所や番地を指定したりＷｅｂサイト上から地図のポイントを指定するステップと、サーバーから指定されたポイントとその周辺に記録されたメッセージやアップロードされたデータを読み出すステップと、ユーザーの端末にメッセージ等を表示するステップを備えている事を特徴とする。【０００６】  本サービスを使用すれば、非常に限定された特に目印も無い場所にもメッセージを書き込む事が出来る。そこから広がるコミュニケーション。どこの誰が発信した現在のコミュニケーションとは違い、そこの場所へ居た人が残したメッセージは新たなるコミュニケーションを生む。【０００７】  本サービスは、増加傾向にある現在地測定機能の付いた端末を有効に利用する為に開発した。ユーザー間だけでなく、企業からのユーザーへの広告にも使用可能。
【発明を実施するための最良の形態】  まずユーザーによる会員登録を行わせ、本サービスを提供する。情報は全てサーバーに保存される。本サービス上にて、測定された位置の取得、メッセージやファイルのアップロード及びダウンロード、その他必要な事を全て完結出来るサービスを提供するのが最良の形態である。
【図面の簡単な説明】
【０００８】
【図１】本発明の一実施形態に係るサービスの構成図である。
【図２】本発明の一実施形態に係る衛星を利用した際の書き込みのフローチャートである。
【図３】本発明の一実施形態に係る衛星を利用しない際の書き込みのフローチャートである。
【図４】本発明の一実施形態に係る衛星を利用した際の読み込みのフローチャートである。
【図５】本発明の一実施形態に係る衛星を利用しない際の読み込みのフローチャートである。
【図１】
2012048695.tif 000003
【図２】
2012048695.tif 000004
【図３】
2012048695.tif 000005
【図４】
2012048695.tif 000006
【図５】
2012048695.tif 000007
(57)【要約】【課題】  携帯電話で、ＩＤとパスワードでログインする際に、クッキーを使うとクッキーが使えない機種が存在する現状ではそれを切り捨てなければならない。しかし、ＵＲＬ埋め込みの方式を用いるならセキュリティー上の問題があるので、できるだけクッキーを使うことが望まれる。クッキーが使える携帯機種が増えてきたので、この問題を解決したい。【解決手段】  クッキーが使えるか否かをプログラムでテストするのは簡単にできる。また、ＵＲＬ埋め込みの方式でも「携帯識別暗号化方式」を用いてある程度セキュリティーを強化することができる。しかし、基本的にはクッキーを使うのが最善なので、クッキーが使える場合にはクッキーを使い、クッキーが使えない場合にはＵＲＬ埋め込みの方式を使うように、自動で切り替える方式を組み合わせることによりセキュリティーを一層強化できる。【特許請求の範囲】
【請求項１】
携帯電話でログイン状態を維持する際に、パスワードを「携帯識別暗号化方式」を使って暗号化し、かつ、ＩＤとパスワードの引渡しをクッキーとＵＲＬ埋め込み方式とを自動で切り替えて行なう方式。
【発明の詳細な説明】
【技術分野】
【０００１】  本発明は、携帯電話でログイン状態を維持するためのログイン方式の技術に関する。
【背景技術】
【０００２】  これまで、携帯電話ではクッキーが使えない機種が多く、ログイン状態を維持するために、ＩＤとパスワードをＵＲＬ埋め込み方式（ＰＯＳＴとＧＥＴとで引き渡す方式）で受け渡していた。しかし、クッキーが使える機種が増えてきた現状では、クッキーを使うのが最善である。
セッション管理の技術でクッキーとＵＲＬ埋め込み方式を自動で切り替える方法があるが、ここではセッション管理を使わないで、携帯電話に特化したパスワードの暗号化方式を使ったログイン方式を実現したい。
【先行技術文献】
【非特許文献】
【０００３】
【非特許文献１】  「岩本隆史の日記帳」  ｈｔｔｐ：／／ｄ．ｈａｔｅｎａ．ｎｅ．ｊｐ／Ｉｗａｍｏｔｏ  Ｔａｋａｓｈｉ／２００９１００２／ｐ１
【発明の概要】
【発明が解決しようとする課題】
【０００４】  携帯電話で、ログインする際にクッキーを使うと、クッキーが使えない機種が存在する現状ではそれを切り捨てなければならない。しかし、ＵＲＬ埋め込みの方式を用いるならセキュリティー上の問題があるので、その点も考慮しつつ、できるだけクッキーを使うことが望まれる。クッキーが使える携帯機種が増えてきたので、この問題を解決したい。
【課題を解決するための手段】
【０００５】  まず、パスワードを携帯固有の情報を使って暗号化する。下記のようにして暗号化Ｃを生成することをパスワードの「携帯識別暗号化方式」と呼ぶことにする。
会員パスワードを暗号化（ハッシュ化）したものを暗号化Ａ（ＳＨＡ１では４０桁）とする。
下記の情報（１）（２）（３）を合わせて暗号化（ハッシュ化）したものを暗号化Ｂ（ＳＨＡ１では４０桁）とする。
（１）携帯電話のＵｓｅｒＡｇｅｎｔ
（２）携帯電話の識別番号（固体識別番号、サブスクライバＩＤ、ユーザーＩＤ、シリアル番号など、簡単に取得可能なものはすべて取得する）
（３）ログインした時の時間的な情報（その時刻、その日、その週、その月のいずれか１つを示す情報）
暗号化Ａと暗号化Ｂを適当な規則により組み合わせて、パスワードの暗号化Ｃ（ＳＨＡ１では８０桁）を生成する。
また、ＩＤと暗号化されたパスワードの引渡しは次のようにして行なう。クッキーが使えるか否かはプログラムで実際にクッキーの書き込みと読み込みを行なってテストする。クッキーが使える場合にはＩＤとパスワード（暗号化Ａ）の引渡しにクッキーを使い、クッキーが使えない場合にはＵＲＬ埋め込み方式でＩＤとパスワード（暗号化Ｃ）を引渡す。これを自動で切り替えて行なう。
【発明の効果】
【０００６】  本発明は次のような効果を奏する。
携帯電話でクッキーが使える機種が増加してきている現状で、クッキーをできるだけ利用しつつ、まだクッキーが使えない機種にも対応させることができる。こうすることにより、ほとんどすべての携帯やｉＰｈｏｎｅなどにも対応するログイン状態の維持が可能となる。
ＵＲＬ埋め込みの場合でもサイトに外部サイトへのリンクを貼らない限リファラースパムの危険性はない（脆弱性はない）。しかし、最新のドコモのｉモードプラウザー２．０はリファラーを送信するので、クッキーを使うならさらにセキュリティーが強化される。
もちろん、仮にパスワードが盗まれても、携帯識別暗号化方式により暗号化されているので他の携帯から悪用される可能性はきわめて低い。ＵｓｅｒＡｇｅｎｔの種類だけでも相当の数に及ぶからである。加えて、時間的な情報によりパスワードの有効期限（次の週までなど）も設定できる。
さらに、クッキーが使える携帯機種でクッキーがオフの設定になっている場合でもログインできるというメリットもある。
本発明には、携帯電話に固有の暗号化方式「携帯識別暗号化方式」と、クッキーとＵＲＬ埋め込みの自動切換え方式とを組み合わせることにより、セキュリティーを一層強化できるという効果がある。そして、何よりも、クッキーが使える時には簡単にログインできるという最大のメリットがある。
【発明を実施するための形態】
【０００７】  ｐｅｒｌ言語などでプログラミングするが、クッキーが使えるか否かを判別してＵＲＬを出力する。会員ＩＤとパスワードでログインする場合の例を下記に示す。
（１）クッキーが使える場合
ＩＤとパスワード（暗号化Ａ）をクッキーで受け渡す。ＵＲＬは下記のようになる。
ｈｔｔｐ：／／＊＊＊＊＊＊＊＊＊．ｃｇｉ？ｉｄ＝ｇｕｅｓｔ＆ｐａｓｓ＝ｓｅｃｒｅｔ
ここで、「ｇｕｅｓｔ」、「ｓｅｃｒｅｔ」はＵＲＬ埋め込みではなくクッキーで受け渡していることを表す。もちろん、「ｉｄ＝ｇｕｅｓｔ＆ｐａｓｓ＝ｓｅｃｒｅｔ」は表示しなくても良い。
（２）クッキーが使えない場合
ＩＤとパスワード（暗号化Ｃ）をＵＲＬ埋め込みで受け渡す。ＵＲＬは下記のようになる。
ｈｔｔｐ：／／＊＊＊＊＊＊＊＊＊．ｃｇｉ？ｉｄ＝（会員ＩＤ）＆ｐａｓｓ＝（ハッシュ値−ＳＨＡ１では８０桁）
(57)【要約】      （修正有）【課題】あらゆる商品・サービス等の取引が、無審査・無担保・無保証人の分割（割賦）で出来るシステムの提供。【解決手段】購入者は一定の預託金を差し入れることで、無審査・無担保・無保証人の分割（割賦）で購入することが可能となり、また、販売者も一定の預託金を受け入れることによって、無審査・無担保・無保証人の分割（割賦）で販売することが可能となる。【選択図】図１
2012168913.tif 000002
【特許請求の範囲】
【請求項１】
商品やサービス等の取引にかかる分割（割賦）システムにおいて、預託金（保証金・契約金・頭金等ともいう。）を設けることで、当事者がそれぞれ利益を享受できるシステム。
【発明の詳細な説明】
【技術分野】
【０００１】
【背景技術】
【０００２】
【先行技術文献】
【特許文献】
【０００３】
【特許文献１】
【特許文献２】
【非特許文献】
【０００４】
【非特許文献１】
【非特許文献２】
【発明の概要】
預託金を基礎とした分割取引システム
【発明が解決しようとする課題】１  自己破産者やブラックリスト（延滞者リスト）登録者等、一般のローン会社（信販会社）の審査が通らない者でも、あらゆる商品が購入できる。
２  販売者の売掛リスクを軽減しつつ、購入者の購入にかかる諸リスク（購入した商品に瑕疵が発覚した場合の返品等）を軽減する。
３  割賦販売法および割賦取引をより効率的に運用できる方法。
【課題を解決するための手段】購入者は販売者に対して預託金（名称は「契約金」「保証金」「頭金」など）を差し入れる。
【発明の効果】１  購入者は、預託金等を差し入れることによって、あらゆる商品を審査・担保・保証人なしで購入出来るようになる。
２  販売者は預託金等を受け入れることによって、あらゆる商品を審査・担保・保証人なしで販売できるようになる。
３  当該商品の所有権は当然分割金（割賦金）の完済によって移転する訳であるが、購入者は預託金の差し入れによって未払いが出来なくなり（未払いをした場合分割契約を解除され商品を返還しなければならなくなるばかりか、預託金を没収される。）、また同時に販売者も預託金を受け入れることによって、未収リスクを軽減できるだけでなく、運用益等も保できる
【図１】
2012168913.tif 000003
【手続補正書】
【提出日】平成23年5月2日(2011.5.2)
【手続補正２】
【補正対象書類名】明細書
【補正対象項目名】全文
【補正方法】変更
【補正の内容】
【発明の詳細な説明】
【発明の概要】
預託金を基礎とした分割取引システム
【発明が解決しようとする課題】１  自己破産者やブラックリスト（延滞者リスト）登録者等、一般のローン会社（信販会社）の審査が通らない者でも、あらゆる商品が購入できる。
２  販売者の売掛リスクを軽減しつつ、購入者の購入にかかる諸リスク（購入した商品に瑕疵が発覚した場合の返品等）を軽減する。
３  割賦販売法および割賦取引をより効率的に運用できる方法。
【課題を解決するための手段】    購入者は販売者に対して預託金（名称は「契約金」「保証金」「頭金」など）を差し入れる。
【発明の効果】１  購入者は、預託金等を差し入れることによって、あらゆる商品を審査・担保・保証人なしで購入出来るようになる。
２  販売者は預託金等を受け入れることによって、あらゆる商品を審査・担保・保証人なしで販売できるようになる。
３  当該商品の所有権は当然分割金（割賦金）の完済によって移転する訳であるが、購入者は預託金の差し入れによって未払いが出来なくなり（未払いをした場合分割契約を解除され商品を返還しなければならなくなるばかりか、預託金を没収される。）、また同時に販売者も預託金を受け入れることによって、未収リスクを軽減できるだけでなく、運用益等も確保できる
【図面の簡単な説明】
【図１】▲１▼購入者は、販売者に預託金等を差し入れる。▲２▼販売者は、商品・サービスを提供する。▲３▼当該割賦契約等が途中解約されれば、同預託金等を没収できる。▲４▼当該割賦契約等が完了されれば、同預託金等は全額返還される。